(57)【要約】【課題】システムエラーの発生を軽減する。【解決手段】上位装置との間でパケットの間欠送受信を行う端末であって、パケットの継続的連続性に係る状態として、個別チャネルが割り当てられる第１の状態と個別チャネルが割り当てられず共通チャネルが割り当てられる第２の状態とを有し、第１および第２の状態のいずれの状態にあるかについての状態情報を上位装置に通知する移動端末装置と、状態情報を受信し、移動端末装置が第１の状態から第２の状態への状態遷移の後、第２の状態における継続時間が第１の所定時間を超えた場合に次の状態遷移に係るパラメータを変更して移動端末装置に通知する上位装置と、を備える。【選択図】図１
2010239485.tif 000002
【特許請求の範囲】
【請求項１】
上位装置との間でパケットの間欠送受信を行う端末であって、パケットの継続的連続性に係る状態として、個別チャネルが割り当てられる第１の状態と個別チャネルが割り当てられず共通チャネルが割り当てられる第２の状態とを有し、第１および第２の状態のいずれの状態にあるかについての状態情報を前記上位装置に通知する移動端末装置と、
前記状態情報を受信し、前記移動端末装置が第１の状態から第２の状態への状態遷移の後、第２の状態における継続時間が第１の所定時間を超えた場合に次の状態遷移に係るパラメータを変更して前記移動端末装置に通知する前記上位装置と、
を備えることを特徴とする移動体通信システム。
【請求項２】
前記上位装置は、前記継続時間が前記第１の所定時間より長い第２の所定時間以下で前記第１の状態に遷移した場合、前記パラメータを前記移動端末装置における間欠送信間隔が短くなるように設定することを特徴とする請求項１記載の移動体通信システム。
【請求項３】
前記上位装置は、前記継続時間が前記第２の所定時間を超えた場合に前記移動端末装置におけるパケットの間欠送受信動作を停止するように前記移動端末装置に通知することを特徴とする請求項２記載の移動体通信システム。
【請求項４】
前記上位装置と前記移動端末装置との間でＨＳＰＡによる間欠送受信を行い、
前記第１および第２の状態は、それぞれＣＥＬＬ＿ＤＣＨ状態およびＣＥＬＬ＿ＦＡＣＨ状態であって、
前記上位装置は、前記移動端末装置からＣＥＬＬ＿ＦＡＣＨ遷移後に受信する前記移動端末装置の受信における信号対雑音比を判断し、雑音が多いほど前記間欠送信間隔がより短くなるように前記パラメータを変更することを特徴とする請求項２記載の移動体通信システム。
【請求項５】
上位装置との間でパケットの間欠送受信を行う移動端末装置が、パケットの継続的連続性に係る状態として、個別チャネルが割り当てられる第１の状態と個別チャネルが割り当てられず共通チャネルが割り当てられる第２の状態とを有し、第１および第２の状態のいずれの状態にあるかについての状態情報を前記上位装置に通知し、
前記上位装置は、前記状態情報を受信し、前記第１の状態から前記第２の状態への状態遷移の後、前記第２の状態における継続時間が第１の所定時間を超えた場合に次の状態遷移に係るパラメータを変更して前記移動端末装置に通知することを特徴とする移動体通信システムの通信方法。
【請求項６】
前記上位装置は、前記継続時間が前記第１の所定時間より長い第２の所定時間以下で前記第１の状態に遷移した場合、前記パラメータを前記移動端末装置における間欠送信間隔が短くなるように設定することを特徴とする請求項５記載の移動体通信システムの通信方法。
【請求項７】
前記上位装置は、前記継続時間が前記第２の所定時間を超えた場合に前記移動端末装置におけるパケットの間欠送受信動作を停止するように前記移動端末装置に通知することを特徴とする請求項６記載の移動体通信システムの通信方法。
【請求項８】
前記上位装置と前記移動端末装置との間でＨＳＰＡによる間欠送受信がなされ、
前記第１および第２の状態は、それぞれＣＥＬＬ＿ＤＣＨ状態およびＣＥＬＬ＿ＦＡＣＨ状態であって、
前記上位装置は、前記移動端末装置からＣＥＬＬ＿ＦＡＣＨ遷移後に受信する移動端末装置の受信における信号対雑音比を判断し、雑音が多いほど前記間欠送信間隔がより短くなるように前記パラメータを変更することを特徴とする請求項６記載の移動体通信システムの通信方法。
【請求項９】
上位装置との間でパケットの間欠送受信を行う端末であって、
パケットの継続的連続性に係る状態として、個別チャネルが割り当てられる第１の状態と個別チャネルが割り当てられず共通チャネルが割り当てられる第２の状態とを有し、第１および第２の状態のいずれの状態にあるかについての状態情報を上位装置に通知し、
前記第１の状態から前記第２の状態への状態遷移の後、前記第２の状態における継続時間が第１の所定時間以上且つ第１の所定時間より長い第２の所定時間以下である場合に前記上位装置によって変更された次の状態遷移に係るパラメータを前記上位装置から受信し、
前記受信したパラメータに従って間欠送信間隔を短くなるように設定することを特徴とする移動端末装置。
【請求項１０】
前記継続時間が前記第２の所定時間を超えた場合に前記上位装置からパケットの間欠送受信動作を停止する指示を受信することを特徴とする請求項９記載の移動端末装置。
【請求項１１】
移動端末装置との間でパケットの間欠送受信を行う装置であって、
パケットの継続的連続性に係る状態として、個別チャネルが割り当てられる第１の状態と個別チャネルが割り当てられず共通チャネルが割り当てられる第２の状態とを有し、第１および第２の状態のいずれの状態にあるかについての状態情報を前記移動端末装置から受信する受信部と、
前記移動端末装置が前記第１の状態から前記第２の状態への状態遷移の後、前記第２の状態における継続時間を計時する第１のタイマと、
前記継続時間が第１の所定時間を超えた場合に次の状態遷移に係るパラメータを変更して前記移動端末装置に通知する通知部と、
を備えることを特徴とする無線ネットワーク制御装置。
【請求項１２】
前記継続時間が前記第１の所定時間より長い第２の所定時間以下で前記第１の状態に遷移した場合、前記パラメータを前記移動端末装置における間欠送信間隔が短くなるように設定することを特徴とする請求項１１記載の無線ネットワーク制御装置。
【請求項１３】
前記継続時間が前記第２の所定時間を計時する第２のタイマをさらに備え、
前記通知部は、前記継続時間が前記第２の所定時間を超えた場合に前記移動端末装置におけるパケットの間欠送受信動作を停止するように前記移動端末装置に通知することを特徴とする請求項１２記載の無線ネットワーク制御装置。
【請求項１４】
上位装置との間でパケットの間欠送受信を行う移動端末装置を構成するコンピュータに、
パケットの継続的連続性に係る状態として、個別チャネルが割り当てられる第１の状態と個別チャネルが割り当てられず共通チャネルが割り当てられる第２の状態とを有し、第１および第２の状態のいずれの状態にあるかについての状態情報を前記上位装置に通知する処理と、
前記第１の状態から前記第２の状態への状態遷移の後、前記第２の状態における継続時間が第１の所定時間以上且つ第１の所定時間より長い第２の所定時間以下である場合に前記上位装置によって変更された次の状態遷移に係るパラメータを前記上位装置から受信する処理と、
受信した前記パラメータに従って間欠送信間隔が短くなるように設定する処理と、
を実行させるプログラム。
【請求項１５】
前記継続時間が前記第２の所定時間を超えた場合に前記上位装置からパケットの間欠送受信動作を停止する指示を受信する処理をさらに実行させる請求項１４記載のプログラム。
【請求項１６】
移動端末装置との間でパケットの間欠送受信を行う無線ネットワーク制御装置を構成するコンピュータに、
パケットの継続的連続性に係る状態として、個別チャネルが割り当てられる第１の状態と個別チャネルが割り当てられず共通チャネルが割り当てられる第２の状態とを有し、第１および第２の状態のいずれの状態にあるかについての状態情報を前記移動端末装置から受信する処理と、
前記移動端末装置が前記第１の状態から前記第２の状態への状態遷移の後、前記第２の状態における継続時間を計時する処理と、
前記継続時間が第１の所定時間を超えた場合に次の状態遷移に係るパラメータを変更して前記移動端末装置に通知する処理と、
を実行させるプログラム。
【請求項１７】
前記継続時間が前記第１の所定時間より長い第２の所定時間以下で前記第１の状態に遷移した場合、前記パラメータを前記移動端末装置における間欠送信間隔が短くなるように設定する請求項１６のプログラム。
【請求項１８】
前記継続時間が前記第２の所定時間を超えた場合に前記移動端末装置におけるパケットの間欠送受信動作を停止するように前記移動端末装置に通知する処理をさらに実行させる請求項１７のプログラム。
【発明の詳細な説明】
【技術分野】
【０００１】
本発明は、移動通信システムおよびその通信方法ならびにプログラムに関し、特にＨＳＰＡ（Ｈｉｇｈ  Ｓｐｅｅｄ  Ｐａｃｋｅｔ  Ａｃｃｅｓｓ）  ｅｖｏｌｕｔｉｏｎでのＣＰＣ（Ｃｏｎｔｉｎｕｏｕｓ  Ｐａｃｋｅｔ  Ｃｏｎｎｅｃｔｉｖｉｔｙ、パケットの継続的連続性）の制御技術に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）  Ｒｅｌｅａｓｅ７におけるＨＳＰＡ  ｅｖｏｌｕｔｉｏｎでは、後のＬＴＥ（Ｌｏｎｇ  Ｔｅｒｍ  Ｅｖｏｌｕｔｉｏｎ）に向けてスムーズな移行を提供することが検討されている。その中の１つの機能としてパケット非伝送状態の特性改善を図るＣＰＣがある。ＣＰＣは、コネクション確立中はＨＳＰＡ状態を継続し、無通信時のＣＥＬＬ＿ＦＡＣＨ（ＣＥＬＬ＿Ｆｏｗａｒｄ  ＣＨａｎｎｅｌ）状態への遷移をなくすことでデータ送受信再開時における遅延を抑制する。この機能によれば、定期的にデータが発生する通信に有効であり、エンドユーザから見たスループットが向上する。
【０００３】
ＣＰＣに関する機能の１つとして、ＵＬ  ＤＴＸ／ＤＲＸ（Ｕｐｌｉｎｋ  Ｄｉｓｃｏｎｔｉｎｕｏｕｓ  Ｔｒａｎｓｍｉｓｓｉｏｎ／Ｒｅｃｅｐｔｉｏｎ）機能が導入されている。ＵＬ  ＤＴＸ／ＤＲＸ機能は、通信データがない場合や低レートの場合に干渉抑制のために物理チャネルの送受信を停止し、データ通信時のみにＨＳＰＡ関連の物理チャネルを使用する。ＵＬ  ＤＴＸ機能は、ＵＬのインアクティブ時にＵＬ制御チャネルを定期的（間欠）に送信し、ＵＬ  ＤＲＸ機能は、ＵＬ  ＤＴＸと合わせてＵＥ（Ｕｓｅｒ  Ｅｑｕｉｐｍｅｎｔ）が特定の時間のみ、Ｅ−ＤＣＨ（Ｅｎｈａｎｃｅｄ  Ｄｅｄｉｃａｔｅｄ  ＣＨａｎｎｅｌ）を送信するように制御する機能である。
【０００４】
この場合、ＵＥは、ＵＬ  ＤＴＸ／ＤＲＸ機能の有効／無効を示すステータスパラメータをもっているが、このステータスは、ＣＥＬＬ＿ＤＣＨ（ＣＥＬＬ＿Ｄｅｄｉｃａｔｅｄ  ＣＨａｎｎｅｌ）状態でかつ、ＲＲＣ（Ｒａｄｉｏ  Ｒｅｓｏｕｒｃｅ  Ｃｏｎｔｒｏｌ）プロトコルによってＣＰＣに関する情報要素（ＩＥ）を持つ設定メッセージを受信した場合に判断される。
【０００５】
ところで、ＵＥは再設定メッセージを受信した場合にのみ変数ＣＰＣ＿ＤＴＸ＿ＤＲＸ＿ＳＴＡＴＵＳの真偽を判断し、不連続送受信機能はＣＥＬＬ＿ＤＣＨ状態にしか適用されない。ＵＥで不連続送受信機能を利用する間に、システムに無線リンク障害、ＲＬＣ（無線リンク制御）回復不能エラー、ＵＥケーパビリティー情報メッセージの送信失敗などの故障が生じれば、ＵＥはセル更新プロセスを実行する。そうすれば、ＵＥはＣＥＬＬ＿ＤＣＨ状態からＣＥＬＬ＿ＦＡＣＨ状態に移行して好適なＵＴＲＡ（ＵＭＴＳ無線アクセス）セルを選択する。しかし、従来の規格ではこの場合の不連続送受信機能の実行方法について何も規定していない。したがって、ＣＥＬＬ＿ＤＣＨ状態が終了した後、ＵＥは変数ＣＰＣ＿ＤＴＸ＿ＤＲＸ＿ＳＴＡＴＵＳを再判断することがない。言い換えれば、ＣＥＬＬ＿ＦＡＣＨ状態に移行した後、ＵＥは好適でない状態で不連続送受信機能を実行することを余儀なくされ、物理層とＭＡＣ層にエラーが生じうる。
【０００６】
そこでシステムエラーを防止することを目的として、無線通信システムのユーザ端末においてＣＰＣの不連続送受信を改善する方法及び装置が特許文献１において開示されている。この方法は、機能状態変数値（ＣＰＣ＿ＤＴＸ＿ＤＲＸ＿ＳＴＡＴＵＳ）に基づいて不連続パケット機能を起動する段階と、セル更新プロセスの起動時に上記機能状態変数値を再判断し、対応した動作を実行する段階とを含む方法である。
【先行技術文献】
【特許文献】
【０００７】
【特許文献１】特開２００８−１４１７５８号公報
【発明の概要】
【発明が解決しようとする課題】
【０００８】
以下の分析は本発明において与えられる。
【０００９】
ところで、ＵＥにおけるＣＰＣ＿ＤＴＸ＿ＤＲＸ機能は、再設定メッセージを受信した場合にのみ、変数ＤＴＸ＿ＤＲＸ＿ＳＴＡＴＵＳの有効（１）／無効（０）を判断する。この場合、ＣＥＬＬ＿ＤＣＨ状態においてしか適用されない。このため、受信環境の劣化等によって無線リンク障害が発生し、ＣＥＬＬ＿ＦＡＣＨ状態に移行した後に、変数ＤＴＸ＿ＤＲＸ＿ＳＴＡＴＵＳの判断がなされずに、ＣＰＣ  ＤＴＸ＿ＤＲＸ機能がそのまま動作し、Ｌａｙｅｒ１および２にてエラーが発生することが起こりうる。
【００１０】
具体的には、無線リンク等の障害によってＵＥがＣＥＬＬ＿ＤＣＨ状態→ＣＥＬＬ＿ＦＡＣＨ状態に遷移した場合に、ＵＬ  ＤＴＸ／ＤＲＸ機能のステータスが有効となっている状態が考えられる。これにより受信状況に沿わないＣＰＣ動作が行われ、正確なデータ送受信ができなくなる可能性がある。このような状態となった場合には、従来技術では対応できずにシステムエラーに繋がる可能性がある。
【００１１】
したがって、本発明の目的は、ＵＥにおいてＣＰＣ  ＤＴＸ＿ＤＲＸ機能が動作中にＣＥＬＬ＿ＤＣＨ状態からＣＥＬＬ＿ＦＡＣＨ状態に遷移した場合において、システムエラーの発生を軽減する移動通信システムおよびその通信方法ならびにプログラムを提供することにある。
【課題を解決するための手段】
【００１２】
本発明の１つのアスペクト（側面）に係る移動通信システムは、上位装置との間でパケットの間欠送受信を行う端末であって、パケットの継続的連続性に係る状態として、個別チャネルが割り当てられる第１の状態と個別チャネルが割り当てられず共通チャネルが割り当てられる第２の状態とを有し、第１および第２の状態のいずれの状態にあるかについての状態情報を上位装置に通知する移動端末装置と、状態情報を受信し、移動端末装置が第１の状態から第２の状態への状態遷移の後、第２の状態における継続時間が第１の所定時間を超えた場合に次の状態遷移に係るパラメータを変更して移動端末装置に通知する上位装置と、を備える。
【００１３】
本発明の他のアスペクト（側面）に係る移動体通信システムの通信方法は、上位装置との間でパケットの間欠送受信を行う移動端末装置が、パケットの継続的連続性に係る状態として、個別チャネルが割り当てられる第１の状態と個別チャネルが割り当てられず共通チャネルが割り当てられる第２の状態とを有し、第１および第２の状態のいずれの状態にあるかについての状態情報を上位装置に通知し、上位装置は、状態情報を受信し、第１の状態から第２の状態への状態遷移の後、第２の状態における継続時間が第１の所定時間を超えた場合に次の状態遷移に係るパラメータを変更して移動端末装置に通知する。
【００１４】
本発明のさらに他のアスペクト（側面）に係る移動端末装置は、上位装置との間でパケットの間欠送受信を行う端末であって、パケットの継続的連続性に係る状態として、個別チャネルが割り当てられる第１の状態と個別チャネルが割り当てられず共通チャネルが割り当てられる第２の状態とを有し、第１および第２の状態のいずれの状態にあるかについての状態情報を上位装置に通知し、第１の状態から第２の状態への状態遷移の後、第２の状態における継続時間が第１の所定時間以上且つ第１の所定時間より長い第２の所定時間以下である場合に上位装置によって変更された次の状態遷移に係るパラメータを上位装置から受信し、受信したパラメータに従って間欠送信間隔を短くなるように設定する。
【００１５】
本発明のまたさらに他のアスペクト（側面）に係る無線ネットワーク制御装置は、移動端末装置との間でパケットの間欠送受信を行う装置であって、パケットの継続的連続性に係る状態として、個別チャネルが割り当てられる第１の状態と個別チャネルが割り当てられず共通チャネルが割り当てられる第２の状態とを有し、第１および第２の状態のいずれの状態にあるかについての状態情報を移動端末装置から受信する受信部と、移動端末装置が第１の状態から第２の状態への状態遷移の後、第２の状態における継続時間を計時する第１のタイマと、継続時間が第１の所定時間を超えた場合に次の状態遷移に係るパラメータを変更して移動端末装置に通知する通知部と、を備える。
【００１６】
本発明の別のアスペクト（側面）に係るプログラムは、上位装置との間でパケットの間欠送受信を行う移動端末装置を構成するコンピュータに、パケットの継続的連続性に係る状態として、個別チャネルが割り当てられる第１の状態と個別チャネルが割り当てられず共通チャネルが割り当てられる第２の状態とを有し、第１および第２の状態のいずれの状態にあるかについての状態情報を上位装置に通知する処理と、第１の状態から第２の状態への状態遷移の後、第２の状態における継続時間が第１の所定時間以上且つ第１の所定時間より長い第２の所定時間以下である場合に上位装置によって変更された次の状態遷移に係るパラメータを上位装置から受信する処理と、受信したパラメータに従って間欠送信間隔が短くなるように設定する処理と、を実行させる。
【００１７】
本発明のさらに別のアスペクト（側面）に係るプログラムは、移動端末装置との間でパケットの間欠送受信を行う無線ネットワーク制御装置を構成するコンピュータに、パケットの継続的連続性に係る状態として、個別チャネルが割り当てられる第１の状態と個別チャネルが割り当てられず共通チャネルが割り当てられる第２の状態とを有し、第１および第２の状態のいずれの状態にあるかについての状態情報を移動端末装置から受信する処理と、移動端末装置が第１の状態から第２の状態への状態遷移の後、第２の状態における継続時間を計時する処理と、継続時間が第１の所定時間を超えた場合に次の状態遷移に係るパラメータを変更して移動端末装置に通知する処理と、を実行させる。
【発明の効果】
【００１８】
本発明によれば、次の状態遷移に係るパラメータが変更されるので、エラーからの復旧が早まり、システムエラーの発生を軽減することができる。
【図面の簡単な説明】
【００１９】
【図１】本発明の第１の実施例に係る上位装置および無線基地局装置の構成を示すブロック図である。
【図２】本発明の第１の実施例に係る移動端末装置の構成を示すブロック図である。
【図３】本発明の第１の実施例に係る移動通信システムの動作を表すフローチャートである。
【図４】ＣＰＣ  ＤＴＸ＿ＤＲＸパラメータ決定部の動作を表すフローチャートである。
【発明を実施するための形態】
【００２０】
本発明の実施形態に係る移動体通信システムは、上位装置（ＲＮＣ）との間でパケットの間欠送受信を行う端末であって、パケットの継続的連続性に係る状態として、個別チャネルが割り当てられる第１の状態と個別チャネルが割り当てられず共通チャネルが割り当てられる第２の状態とを有し、第１および第２の状態のいずれの状態にあるかについての状態情報を上位装置に通知する移動端末装置（ＵＥ）と、状態情報を受信し、移動端末装置が第１の状態から第２の状態への状態遷移の後、第２の状態における継続時間が第１の所定時間を超えた場合に次の状態遷移に係るパラメータを変更して移動端末装置に通知する上位装置と、を備える。
【００２１】
上位装置は、継続時間が第１の所定時間より長い第２の所定時間以下で第１の状態に遷移した場合、パラメータを移動端末装置における間欠送信間隔が短くなるように設定するようにしてもよい。
【００２２】
上位装置は、継続時間が第２の所定時間を超えた場合に移動端末装置におけるパケットの間欠送受信動作を停止するように移動端末装置に通知するようにしてもよい。
【００２３】
上位装置と移動端末装置との間でＨＳＰＡによる間欠送受信を行い、第１および第２の状態は、それぞれＣＥＬＬ＿ＤＣＨ状態およびＣＥＬＬ＿ＦＡＣＨ状態であって、上位装置は、移動端末装置からＣＥＬＬ＿ＦＡＣＨ遷移後に受信する移動端末装置の受信における信号対雑音比を判断し、雑音が多いほど間欠送信間隔がより短くなるようにパラメータを変更するようにしてもよい。
【００２４】
次に、より具体的に移動体通信システムの動作について説明する。ＵＥは、ＣＥＬＬ＿ＦＡＣＨ状態の遷移後にもステータス情報を維持している。しかし、ＣＥＬＬ＿ＦＡＣＨ状態に遷移している時間が長い場合には、再びＣＥＬＬ＿ＤＣＨ状態に遷移したタイミングで以前のステータス情報のままで、ＣＰＣ  ＤＴＸ＿ＤＲＸ機能を動作させることになり、無線環境に適した状態での機能動作にならない場合が考えられる。
【００２５】
そこでＵＥは、ＣＰＣ  ＤＴＸ＿ＤＲＸ機能が動作している状態においては、ＣＥＬＬ＿ＤＣＨ状態からＣＥＬＬ＿ＦＡＣＨ状態に遷移した場合に、ＣＰＣ  ＤＴＸ＿ＤＲＸ機能の状態情報をＲＡＣＨ  Ｍｅａｓｕｒｅｍｅｎｔ  Ｒｅｓｕｌｔと合わせてＲＮＣに通知する。なお、ＣＰＣの状態情報は、変数ＣＰＣ＿ＤＴＸ＿ＤＲＸ＿ＳＴＡＴＵＳを流用することができ、新たに必要とする新規の情報ではない。したがって、ＵＥ側の制御が比較的簡単に実現できる。
【００２６】
再びＣＥＬＬ＿ＤＣＨ状態に遷移するまでの時間がかかる場合には、ＵＥでのデータ通信量の低下、もしくは無線環境による低下が考えられる。そこでＲＮＣは、ＣＥＬＬ＿ＦＡＣＨ状態の遷移後に受信するＲＡＣＨ  Ｍｅａｓｕｒｅｍｅｎｔ  ＲｅｓｕｌｔのＣＰＣ状態変数とＣＰＩＣＨ（Ｃｏｍｍｏｎ  Ｐｉｌｏｔ  ＣＨａｎｎｅｌ）  Ｅｃ／ＮｏやＲＳＣＰ（Ｒｅｃｅｉｖｅｄ  Ｓｉｇｎａｌ  Ｃｏｄｅ  Ｐｏｗｅｒ）の情報の内容を元にタイマを起動させる。
【００２７】
このタイマは、ＣＥＬＬ＿ＤＣＨ状態へ遷移するまでの時間が長い場合に、次の遷移にそなえ、ＵＥにおける受信状況を元にセル更新確認（ＣＥＬＬ  ＵＰＤＡＴＡ  ＣＯＮＦＩＲＭ）などのＣＰＣ  ＤＴＸ＿ＤＲＸ情報要素（ＩＥ）のパラメータ内容を決定する目安として使用する。これによりＲＮＣは、ユーザ端末の受信レベル状況を確認しながらＣＰＣパラメータ設定（変数ＣＰＣ＿ＤＴＸ＿ＤＲＸ＿ＰＡＲＡＭＳ）を決定して、基地局、ＵＥのＣＰＣ  ＤＴＸ＿ＤＲＸ機能を制御する。
【００２８】
これによりＲＮＣは、ユーザ端末の受信レベル状況を確認しながらＣＰＣパラメータ設定（変数ＣＰＣ＿ＤＴＸ＿ＤＲＸ＿ＰＡＲＡＭＳ）を決定でき、現状使用されているＲＲＣ接続処理（ＲＲＣ  ＣＯＮＥＣＴＩＯＮ  ＳＥＴＵＰ）やセル更新確認（ＣＥＬＬ  ＵＰＤＡＴＡ  ＣＯＮＦＩＲＭ）などを用いることができる。
【実施例１】
【００２９】
図１は、本発明の第１の実施例に係る上位装置および無線基地局装置の構成を示すブロック図である。図１において、移動通信システムは、ＨＳＰＡを行う移動通信システムであって、上位装置として無線ネットワーク制御装置（Ｒａｄｉｏ  Ｎｅｔｗｏｒｋ  Ｃｏｎｔｒｏｌｌｅｒ：ＲＮＣ）１が、ＩｕｂでＮｏｄｅＢ（無線基地局装置）２に接続される。ＮｏｄｅＢ（無線基地局装置）２は、さらに無線で後述のＵＥ（移動機、移動端末装置）３に接続される。
【００３０】
ＲＮＣ１は、Ｉｕｂからのデータを送受信する送受信部１１、ＲＲＣメッセージ等を処理する制御部１２、ＣＰＣのＵＬ  ＤＴＸ＿ＤＲＸパラメータを決定するＣＰＣ  ＤＴＸ＿ＤＲＸパラメータ決定部１３を備える。なお、ＲＮＣ１は、コンピュータを備え、このコンピュータにプログラムを実行させることで、制御部１２およびＣＰＣ  ＤＴＸ＿ＤＲＸパラメータ決定部１３を機能させるようにしても良い。
【００３１】
ＮｏｄｅＢ２は、アンテナ部２１、逆拡散機能を含む受信部２２、チャネル復号部２３、各部の動作に必要な情報を提供し、また各部の起動や停止、初期化を行う制御部２４、拡散機能を含む送信部２５、チャネル符号化部２６、ネットワーク部２７を備える。
【００３２】
ＵＥ３から送信された上り信号は、アンテナ部２１を経由して受信部２２で復調され、逆拡散処理がなされる。チャネル復号部２３は、受信部２２から出力された信号を軟判定処理し、ＣＰＩＣＨ  Ｅｃ／Ｎｏが含まれるＲＡＣＨデータ（メッセージ部）をネットワーク部２７に通知する。なお、ＮｏｄｅＢ２ではＲＡＣＨデータ内部については特別意識する必要はない。制御部２４は、ＲＮＣ１から設定されたＣＰＣパラメータに従い、ＨＳＰＡおよびＣＰＣ  ＤＴＸ＿ＤＲＸ機能を動作させる制御を行う。ネットワーク部２７は、復号されたＲＡＣＨデータをＲＮＣ１に通知するためのフォーマットに変換し、ＲＡＣＨ  ＦＰとしてＩｕｂを経由しＲＮＣ１に通知する。
【００３３】
図２は、本発明の第１の実施例に係る移動端末装置の構成を示すブロック図である。図２において、ＵＥ３は、アンテナ部３１、受信部３２、チャネル復号部３３、制御チャネル処理部３４、Ｅ−ＨＩＣＨ処理部３５、ＨＳ−ＰＤＳＣＨ処理部３６、ＨＳＰＡ制御部３７、ＣＰＣ  ＤＴＸ＿ＤＲＸ機能判定部３８、ＣＰＩＣＨ  Ｅｃ／Ｎｏ、ＣＱＩ算出部３９、チャネル符号化部４０、送信部４１を備える。
【００３４】
次に、ＵＥ３の受信動作および送信動作について述べる。ここでは、ＵＥ３におけるＣＰＣ  ＤＴＸ＿ＤＲＸ機能の動作は、上位から通知されるレイヤ３メッセージであるＲＲＣ（Ｒａｄｉｏ  Ｒｅｓｏｕｒｃｅ  Ｃｏｎｔｒｏｌ）によって認識されているものとする。
【００３５】
ＮｏｄｅＢ２から送信された信号は、アンテナ部３１を経由して受信部３２で復調され、逆拡散処理される。チャネル復号部３３は、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）に関し、ＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）およびＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  ＣＨａｎｎｅｌ）の軟判定出力信号を取得し、ＨＳＵＰＡ（Ｈｉｇｈ  Ｓｐｅｅｄ  Ｕｐｌｉｎｋ  Ｐａｃｋｅｔ  Ａｃｃｅｓｓ）に関し、Ｅ−ＤＰＣＣＨ（Ｅｎｈａｎｃｅｄ  Ｄｅｄｉｃａｔｅｄ  Ｐｈｙｓｉｃａｌ  Ｃｏｎｔｒｏｌ  ＣＨａｎｎｅｌ）およびＥ−ＤＰＤＣＨ（Ｅｎｈａｎｃｅｄ  Ｄｅｄｉｃａｔｅｄ  Ｐｈｙｓｉｃａｌ  Ｄａｔａ  ＣＨａｎｎｅｌ）の軟判定出力信号を取得する。
【００３６】
制御チャネル処理部３４は、ＨＳ−ＳＣＣＨやＥ−ＡＧＣＨ（Ｅｎｈａｎｃｅｄ  Ａｂｓｏｌｕｔｅ  Ｇｒａｎｔ  ＣＨａｎｎｅｌ）、Ｅ−ＲＧＣＨ（Ｅｎｈａｎｃｅｄ  Ｒｅｌａｔｉｖｅ  Ｇｒａｎｔ  ＣＨａｎｎｅｌ）をデコードし、デコードが成功したかどうかをＨＳＰＡ制御部３７に通知する。デコードが成功した場合には、さらにＨＳ−ＰＤＳＣＨのデコード情報およびＥ−ＨＩＣＨ処理部３５でのＥ−ＤＰＤＣＨのデコード情報（ＡＣＫ／ＮＡＣＫ）などをＨＳＰＡ制御部３７へ通知する。
【００３７】
ＨＳ−ＰＤＳＣＨ処理部３６は、ＱＰＳＫおよび１６ＱＡＭ復調器を有し、ＨＳ−ＰＤＳＣＨの入力を受けて復調処理を行う。その後、デインターリーバ処理を行い、レートデマッチング処理（レートマッチングの逆の処理）を行う。レートデマッチング処理後、ＨＳＰＡ制御部３７からのＨＳ−ＰＤＳＣＨデコード情報と共にＨＳ−ＰＤＳＣＨをデコードし、そのＣＲＣ（Ｃｙｃｌｉｃ  Ｒｅｄｕｎｄａｎｃｙ  Ｃｈｅｃｋ）結果をＨＳＰＡ制御部３７へ通知する。
【００３８】
ＣＰＩＣＨ  Ｅｃ／Ｎｏ、ＣＱＩ算出部３９は、ＣＰＩＣＨを入力して受信伝播環境を示すＣＰＩＣＨ  Ｅｃ／Ｎｏ、ＲＳＣＰを算出し、ＨＳＰＡ制御部３７へ通知する。
【００３９】
ＨＳ−ＤＰＣＣＨのエンコード処理を行うチャネル符号化部４０は、ＨＳＰＡ制御部３７からのＡＣＫ／ＮＡＣＫおよびＣＱＩ（Ｃｈａｎｎｅｌ  Ｑｕａｌｉｔｙ  Ｉｎｄｉｃａｔｏｒ）値を受けて、ＨＳ−ＤＰＣＣＨを生成する。
【００４０】
ＨＳＰＡ制御部３７は、上記各部を制御する機能を有し（点線で示す）、各部の動作に必要な情報を提供し、また各部の起動や停止、初期化を行う。
【００４１】
なお、ＵＥ３は、コンピュータを備え、このコンピュータにプログラムを実行させることで、上記各部の一部を機能させるようにしても良い。
【００４２】
次に、移動通信システムの動作について説明する。図３は、本発明の第１の実施例に係る移動通信システムの動作を表すフローチャートである。
【００４３】
ステップＳ１１において、ＵＥ３は、ＣＰＣ  ＤＴＸ＿ＤＲＸ機能動作中に受信環境が劣化し、ＣＥＬＬ＿ＤＣＨ状態からＣＥＬＬ＿ＦＡＣＨ状態に遷移したか否かを判定する。遷移した場合にステップＳ１２に進み、遷移しない場合にステップＳ１４に進む。
【００４４】
ステップＳ１２において、ＵＥ３は、ＣＥＬＬ＿ＦＡＣＨ状態に遷移したと同時に、ＣＰＣ  ＤＴＸ＿ＤＲＸ機能判定部３８からのＳＴＡＴＵＳ情報を取得する。
【００４５】
ステップＳ１３において、ＵＥ３は、取得したＳＴＡＴＵＳ情報をＲＡＣＨデータ（ＲＡＣＨ  Ｍｅａｓｕｒｅｍｅｎｔ  Ｒｅｓｕｌｔ）に盛り込む。
【００４６】
ステップＳ１４において、ＣＰＩＣＨ  Ｅｃ／Ｎｏ、ＣＱＩ算出部３９から取得されるＣＰＩＣＨ  Ｅｃ／ＮｏをＨＳＰＡ制御部３７に通知する。
【００４７】
ステップＳ１５において、ＵＥ３は、ＨＳＰＡ制御部３７で得られたＣＰＩＣＨ  Ｅｃ／Ｎｏを、ＲＡＣＨデータに盛り込み、ステップＳ１６でＮｏｄｅＢ２にＰＲＡＣＨ（Ｐｈｙｓｉｃａｌ  Ｒａｎｄｏｍ  Ａｃｃｅｓｓ  ＣＨａｎｎｅｌ）によって送信する。この時、ＣＥＬＬ＿ＦＡＣＨ状態への遷移後のＲＡＣＨデータ内にＤＴＸ＿ＤＲＸ＿ＳＴＡＴＵＳ情報を盛り込んでＮｏｄｅＢ２に送信する。
【００４８】
ＮｏｄｅＢ２は、ステップＳ１７において、受信したＰＲＡＣＨを復号し、ステップＳ１８において、ＩｕｂにＲＡＣＨ  ＦＰ（Ｆｒａｍｅ  Ｐｒｏｔｏｃｏｌ）として送出し、ＲＮＣ１に通知する。
【００４９】
ステップＳ１９において、ＲＮＣ１は、該当のＵＥ３がＣＥＬＬ＿ＦＡＣＨ状態にあるか否かを判断し、ＣＥＬＬ＿ＦＡＣＨ状態に無い場合、処理を終了する。
【００５０】
ＵＥ３がＣＥＬＬ＿ＦＡＣＨ状態にある場合、ステップＳ２０において、ＲＮＣ１は、ＵＥ３がＣＥＬＬ＿ＦＡＣＨ状態に遷移した後に送信したＲＡＣＨ  ＦＰ（Ｍｅａｓｕｒｍｅｎｔ  Ｒｅｓｕｌｔ）を受信したか否かを判断する。受信していない場合、処理を終了する。受信している場合、ステップＳ２１において、ＣＰＩＣＨ  Ｅｃ／ＮｏおよびＤＴＸ＿ＤＲＸ＿ＳＴＡＴＵＳ情報を取り出す。
【００５１】
ステップＳ２２において、ＲＮＣ１は、ＤＴＸ＿ＤＲＸ＿ＳＴＡＴＵＳ情報を元に、ＵＥ３のＣＰＣ起動状態を確認する。ＣＰＣ起動状態が無効（０）だった場合には、ＣＰＣ  ＤＴＸ＿ＤＲＸパラメータ決定部１３での処理を行わず、終了する。
【００５２】
ＣＰＣ起動状態が有効（１）だった場合には、ステップＳ２３において、後述のＣＰＣ  ＤＴＸ＿ＤＲＸパラメータ決定部１３での処理を実行する。
【００５３】
次に、ＲＮＣ１におけるＣＰＣ  ＤＴＸ＿ＤＲＸパラメータ決定部１３の動作について説明する。図４は、ＣＰＣ  ＤＴＸ＿ＤＲＸパラメータ決定部１３の動作を表すフローチャートである。
【００５４】
ＣＰＣ  ＤＴＸ＿ＤＲＸパラメータ決定部１３は、該当のＵＥ３がＣＰＣ設定ユーザであると判断ができた時点でＣＰＣ  ＤＴＸ＿ＤＲＸ機能で使用するパラメータおよび動作制御を決定するタイマ（Ｔ＿ＣＰＣ＿ＤＴＸ＿ＤＲＸ）を起動する。ここでタイマは、２種類用意され、ＣＥＬＬ＿ＤＣＨ状態→ＣＥＬＬ＿ＦＡＣＨ状態に遷移したタイミングから開始するＴ＿ＣＰＣ＿ＤＴＸ＿ＤＲＸ＿ｓｔｅｐ１タイマと、Ｔ＿ＣＰＣ＿ＤＴＸ＿ＤＲＸ＿ｓｔｅｐ１タイマが満了した時点で次に起動するＴ＿ＣＰＣ＿ＤＴＸ＿ＤＲＸ＿ｓｔｅｐ２タイマである
【００５５】
ステップＳ３１において、Ｔ＿ＣＰＣ＿ＤＴＸ＿ＤＲＸ＿ｓｔｅｐ１タイマを起動する。
【００５６】
Ｔ＿ＣＰＣ＿ＤＴＸ＿ＤＲＸ＿ｓｔｅｐ１タイマが満了するまで（ステップＳ３３のＹｅｓ）に、ＣＥＬＬ＿ＤＣＨ状態に遷移した場合（ステップＳ３２のＹｅｓ）には、Ｔ＿ＣＰＣ＿ＤＴＸ＿ＤＲＸ＿ｓｔｅｐ１タイマを停止し（ステップＳ３８）、ＣＰＣのステータス情報を受け取った時点でのパラメータを再設定するようにＣＰＣ  ＤＴＸ＿ＤＲＸパラメータ決定部１３で保持しておく（ステップＳ４１）。
【００５７】
Ｔ＿ＣＰＣ＿ＤＴＸ＿ＤＲＸ＿ｓｔｅｐ１タイマが満了したならば、Ｔ＿ＣＰＣ＿ＤＴＸ＿ＤＲＸ＿ｓｔｅｐ２タイマを起動する（ステップＳ３４）。
【００５８】
Ｔ＿ＣＰＣ＿ＤＴＸ＿ＤＲＸ＿ｓｔｅｐ２タイマを起動後、このタイマが満了しないうちにＣＥＬＬ＿ＤＣＨ状態に遷移した場合（ステップＳ３５のＹｅｓ）には、Ｔ＿ＣＰＣ＿ＤＴＸ＿ＤＲＸ＿ｓｔｅｐ２タイマを停止し（ステップＳ３７）、ＣＰＣパラメータを変更する（ステップＳ４０）。そのときのＲＡＣＨ  Ｍｅａｒｓｕｒｅｍｎｔ  Ｒｅｓｕｌｔで通知されるＵＥ３の受信状況（例えばＣＰＩＣＨ  Ｅｃ／Ｎｏなどの信号対雑音の電力比）から判断し、間欠送信間隔が短くなるようにＣＰＣのパラメータを変更してＣＰＣ  ＤＴＸ＿ＤＲＸパラメータ決定部１３で保持しておく。この場合、受信状況がより悪い場合、すなわち信号対雑音の電力比がより小さいほど、間欠送信間隔がより短くなるように設定することが好ましい。ＰＣＰＩＣＨ  Ｅｃ／Ｎｏが例えば、通常のＣＥＬＬ＿ＦＡＣＨ状態からＣＥＬＬ＿ＤＣＨ状態へ遷移する際の閾値レベルよりもＸ［ｄＢ］低い場合には、Ｘが大きいほど、ＣＥＬＬ＿ＤＣＨ状態に遷移したとしても受信環境が劣化している度合いが高いと判断して動作する。なお、Ｘ［ｄＢ］は実験的パラメータであるため、ここではその値について言及しない。実運用で使用されている閾値から指定が可能である。
【００５９】
Ｔ＿ＣＰＣ＿ＤＴＸ＿ＤＲＸ＿ｓｔｅｐ２タイマが満了した場合（ステップＳ３６のＹｅｓ）には、ＣＥＬＬ＿ＤＣＨ状態への遷移が行われたとしてもＣＰＣ  ＤＴＸ＿ＤＲＸ機能は、遷移直後には動作させず機能をオフとする（ステップＳ３９）。
【００６０】
最終的にＣＰＣパラメータに決定し、ＮｏｄｅＢ２およびＵＥ３に通知するメッセージであるＮＢＡＰ（Ｎｏｄｅ  Ｂ  Ａｐｐｌｉｃａｔｉｏｎ  Ｐｒｏｔｏｃｏｌ）、ＲＲＣ  ＣＯＮＥＣＴＩＯＮ  ＳＥＴＵＰ、ＣＥＬＬ  ＵＰＤＡＴＡ  ＣＯＮＦＩＲＭを作成してＮｏｄｅＢ２経由でＵＥ３に通知する（ステップＳ４２）。
【００６１】
以上のように動作する移動通信システムにおいて、Ｔ＿ＣＰＣ＿ＤＴＸ＿ＤＲＸ＿ｓｔｅｐ２タイマを起動後、このタイマが満了しないうちにＣＥＬＬ＿ＤＣＨ状態に遷移した場合、ＵＥ３は、間欠送信間隔が短くなるようにＣＰＣのパラメータが変更された情報を受信する。したがって、例えＵＥ３の受信状況が悪くてエラーが発生したとしても、間欠送信間隔が短いので数多くのパケットを送信することで、直ぐにエラーから復旧することができる。このため、システムエラーに陥ってしまうケースを少なくすることができる。
【００６２】
なお、前述の特許文献等の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００６３】
１  ＲＮＣ（無線ネットワーク制御装置）
２  ＮｏｄｅＢ（無線基地局装置）
３  ＵＥ（移動機）
１１  送受信部
１２  制御部
１３  ＣＰＣ  ＤＴＸ＿ＤＲＸパラメータ決定部
２１  アンテナ部
２２  逆拡散機能を含む受信部
２３  チャネル復号部
２４  制御部
２５  送信部
２６  チャネル符号化部
２７  ネットワーク部
３１  アンテナ部
３２  受信部
３３  チャネル復号部
３４  制御チャネル処理部
３５  Ｅ−ＨＩＣＨ処理部
３６  ＨＳ−ＰＤＳＣＨ処理部
３７  ＨＳＰＡ制御部
３８  ＣＰＣ  ＤＴＸ＿ＤＲＸ機能判定部
３９  ＣＰＩＣＨ  Ｅｃ／Ｎｏ、ＣＱＩ算出部
４０  チャネル符号化部
４１  送信部
【図１】
2010239485.tif 000003
【図２】
2010239485.tif 000004
【図３】
2010239485.tif 000005
【図４】
2010239485.tif 000006